(57)【要約】【課題】  容器体の口筒部に組付けられるキャップ体において、開口を開閉するキャップ部材を不正防止リング片で一体に結合し、この不正防止リング体の除去によりキャップ部材を動作可能となることにより、目視による不正開封の有無の判断を容易にかつ確実に行えると共に、容易に開閉操作することのできるキャップ部材の提供を目的とするものである。【解決手段】  容器体２５の口筒部２６に組付いて開口４を形成する組付き部２と、この組付き部２にヒンジ片２４を介して一体に結合され、開口４を開閉するキャップ部材１１を有する開閉機能部１０とから構成され、キャップ部材１１を、破断除去可能な不正防止リング片１７を介してヒンジ片２４に連結し、キャップ部材１１を被さり組付きするタイプのキャップとした。【選択図】  図３
2015124010.tif 000002
【特許請求の範囲】
【請求項１】
容器体（２５）の口筒部（２６）に密に外装し、内容物の取出し口である開口（４）を頂板（３）に開設した有頂筒状の組付き部（２）と、該組付き部（２）にヒンジ片（２４）で一体に結合され、前記開口（４）開閉用のキャップ部材（１１）を有する有頂筒状の開閉機能部（１０）とから構成され、前記キャップ部材（１１）は、引張により破断除去可能な不正防止リング片（１７）を介してヒンジ片（２４）に連結されていると共に、前記組付き部（２）の上端部に着脱可能に被さり係止する、ことを特徴とする合成樹脂製キャップ体。
【請求項２】
不正防止リング片（１７）のヒンジ片（２４）への連結を、前記不正防止リング片（１７）に隣接して並列設された連結リング片（２１）で達成する請求項１に記載の合成樹脂製キャップ体。
【請求項３】
連結リング片（２１）の一部からヒンジ突片（２２）を立ち上げ、該ヒンジ突片（２２）の上端をキャップ部材（１１）に肉薄なヒンジ部（２３）を介して一体に連結した請求項２に記載の合成樹脂製キャップ体。
【請求項４】
複数の開口（４）を近接して配設すると共に、該開口（４）に密嵌入する栓片（１３）をキャップ部材（１１）の頂壁（１２）の下面に垂設した請求項１〜３の何れか１項に記載の合成樹脂製キャップ体。
【発明の詳細な説明】
【技術分野】
【０００１】
本発明は、ピルファープルーフ機能を一体に有する合成樹脂製キャップ体に関するものである。
【背景技術】
【０００２】
この種の合成樹脂製キャップ体の従来技術として、例えば特許文献１に示されているものがある。この従来技術の合成樹脂製キャップ体は、嵌合キャップ構造のベースキャップの周囲に、プリファープルーフ機能を発揮する環状帯を、多数の連結片と一つの連結部を介して一体に連設して構成され、連結片を破断して環状帯を引き起こすことにより、連結部を介してベースキャップに引き上げ力を作用させて、ベースキャップを容易に抜栓できるようにしたものである。
【先行技術文献】
【特許文献】
【０００３】
【特許文献１】特開２０１３―２４１２１９号公報
【発明の概要】
【発明が解決しようとする課題】
【０００４】
この特許文献１に記載された従来技術にあっては、環状帯の引き起こしの有無により、容器体の正規の開封前に、不正な開封が行われたか否かを、目視で判断することができるのであるが、環状帯をベースキャップに強引に外装すると、この環状帯に対する目視による不正開封の有無の判断は、必ずしも簡単ではなく、より明確で簡単な目視判断手段の提供が望まれていた。
【０００５】
また、上記した従来技術が提供しているベースキャップは中栓状の嵌入キャップ構造であるので、着脱操作が面倒となる場合があり、取扱いの容易な被せタイプのキャップとすることが望まれていた。
【０００６】
そこで、本発明は、上記した従来技術における要望を満たすべく創案されたもので、組付き部とキャップ部材をピルファープルーフ機能部で連結し、このピルファープルーフ機能部の除去によりキャップ部材の開閉動作が可能とすることを技術的課題とし、もって目視による不正開封の有無の判断を容易にかつ確実に行えると共に、好適に使用することのできるキャップ体の提供を目的とするものである。
【課題を解決するための手段】
【０００７】
上記課題を解決する本発明の手段の主たる構成は、
容器体の口筒部に密に外装し、内容物の取出し口である開口を頂板に開設した有頂筒状の組付き部と、この組付き部にヒンジ片で一体に結合され、組付き部の開口開閉用のキャップ部材を有する有頂筒状の開閉機能部とから構成されること、
開閉機能部のキャップ部材は、引張により破断除去可能な不正防止リング片を介してヒンジ片に連結されていると共に、組付き部の上端部に着脱可能に被さり係止すること、
にある。
【０００８】
組付き部の開口を開閉する開閉機能部のキャップ部材は、不正防止リング片からヒンジ片を介して組付き部に、一体に連結されているので、開口が形成された組付き部の上端部に被さり状に係止組付きした状態では、不正防止リング片との連結をなくさない限り、組付き部の上端部に対する係止組付きを解除する、すなわち開口を開放することは不可能である。それゆえ、キャップ部材と不正防止リング片が連結されている限り、開口はまだ開放されたことがないと判断することができる。
【０００９】
キャップ部材を組付き部から離脱させて開口を開放するには、キャップ部材と不正防止リング片の連結を解除、すなわち開閉機能部から、不正防止リング片を引張により破断除去し、これによりキャップ部材を組付き部から離脱可能とする必要がある。この状態では、不正防止リング片が破断除去されてなくなっているので、この不正防止リング片がなくなっていることを目視により確認することにより、開口が既に開放された可能性があると、容易にかつ明確に判断することができる。
【００１０】
キャップ部材は、組付き部の上端部に着脱可能に組付いて、この組付き部に形成された開口を開閉する、一般的な被せタイプのキャップであるので、着脱操作が容易で、これにより通常のキャップとして円滑に使用することができる。
【００１１】
本発明の別の構成は、上記した主たる構成における不正防止リング片のヒンジ片への連結を、不正防止リング片に隣接して並列設された連結リング片で達成することを、加えたものである。
【００１２】
連結リング片により不正防止リング片をヒンジ片に連結したものにあっては、ヒンジ片に対する不正防止リング片の、破断除去可能な連結が容易となる。
【００１３】
また、本発明の別の構成は、上記した主たる構成と連結リング片の構成に、連結リング片の一部からヒンジ突片を立ち上げ、このヒンジ片の上端をキャップ部材に肉薄なヒンジ部を介して一体に連結したことを、加えたものである。
【００１４】
連結リング片にキャップ部材をヒンジ突片とヒンジ部を介して連結したものにあっては、キャップ部材を連結リング片にヒンジ結合することになる。
【００１５】
また、本発明の別の構成は、上記した主たる構成に、複数の開口を近接して配設すると共に、この開口に密嵌入する栓片をキャップ部材の頂壁の下面に垂設したことを、加えたものである。
【００１６】
開口を複数設けたものにあっては、各開口が分散位置するので、組付き部の頂板の広い範囲に開口を位置させることができる。
【発明の効果】
【００１７】
本発明は、上記した構成となっているので、以下に示す効果を奏する。
本発明における合成樹脂製キャップ体の主たる構成においては、不正防止リング片の有無を目視により確認することにより、容器が既に開封されたか否かを明確にかつ容易に判断することができるので、高い不正防止機能であるピルファープルーフ機能を確実に得ることができる。
【００１８】
また、キャップ部材は、通常のキャップとして継続使用することができるので、容器の良好な開閉使用、および内容物の安全な収納保持を維持することができる。
【００１９】
連結リング片により不正防止リング片をヒンジ片に連結したものにあっては、ヒンジ片に対する不正防止リング片の、破断除去可能な連結が容易となるので、安定したピルファープルーフ機能を発揮させることができる。
【００２０】
連結リング片にキャップ部材をヒンジ突片とヒンジ部を介して連結したものにあっては、キャップ部材を連結リング片にヒンジ結合することになるので、キャップ部材はヒンジキャップとして機能することになり、これにより取扱いが好ましく便利なものとなる。
【００２１】
開口を複数設けたものにあっては、組付き部の頂板の広い範囲に開口を位置させることができるので、顆粒状内容物の振り出し口として、好適に機能させることができる。
【図面の簡単な説明】
【００２２】
【図１】本発明の一実施形態例の、全体平面図である。
【図２】図１に示した実施形態例の、全体縦断面図である。
【図３】図１に示した実施形態例を容器体に組付けた、全体縦断面図である。
【図４】図１に示した実施形態例を容器体に組付けた、別の角度から見た全体縦断図である。
【発明を実施するための形態】
【００２３】
以下、本発明の実施形態例を、図１〜図４を参照しながら説明する。
なお、本実施形態例では、容器本２５に組付いた状態で、容器体２５の口筒部２６が位置する側を上方とし、その反対側を下方とする。
【００２４】
図１および図２は、射出成形後、離型された状態時のキャップ体１を示すもので、キャップ体１は、容器体２５の口筒部２６（図３、図４参照）に外装して密に組付く組付き部２と、この組付き部２にヒンジ片２４を介して一体に連結された開閉機能部１０とから構成されており、全体を例えばポリエチレン樹脂やポリプロピレン樹脂で一体に成形されている。
【００２５】
組付き部２は、容器体２５の口筒部２６に密に外装（図３、図４参照）する有頂筒状をしており、頂板３に三つの丸孔状の開口４を、周端に偏らせかつ周方向に沿って並べて配置（図１参照）し、頂板３の下面に、開口４を内側に位置（図２参照）させて、口筒部２６内に密嵌入（図３、図４参照）するシール筒片５を垂下設している。組付き部２の口筒部２６に対する外装組付き部分を構成する装着筒６は、その外周面上端部に、開閉機能部１０のキャップ部材１１を係止保持する第１係止部７（図３、図４参照）を構成する突周条と、内周面中央部に、口筒部２６に対する係止組付きを達成維持する第２係止部８（図３、図４参照）を構成する周溝と、外周面下端部に、開閉機能部１０の連結リング片２１を係止保持する第３係止部９（図３、図４参照）を構成する突条の、それぞれを形成している。
【００２６】
開閉機能部１０は、組付き部２に被さって外嵌する有頂筒状をしており、上位から（図２においては下位から）、有頂短円筒状のキャップ部材１１と、略環状となった不正防止リング片１７と、環状となった連結リング片２１を、順に一体に連設して構成（図２、図３参照）され、連結リング片２１の下端縁を、組付き部２の下端縁に、ヒンジ片２４を介して一体に結合（図２、図３参照）して構成されている。
【００２７】
キャップ部材１１は、頂壁１２の下面に、開口４に密嵌入する三つの栓片１３と、組付き部２に組付けられた際に、頂板３上面に突き当たる高さの低い筒片状の突き当たり片１４を設け、頂壁１２の周端縁から垂設した周壁１５の内周面下端部に、第１係止部７を構成する突周条（図２、図３、図４参照）を設け、さらに周壁１５の外周面下端部に、キャップ部材１１の開放操作をし易くする指掛け片１６（図４参照）を突設している。突き当たり片１４は、頂板３に対する突き当りにより、キャップ部材１１の組付き部２上端部への組付き限界位置を規制して、第１係止部７の係止状態、および開口４に対する栓片１３の嵌入状態を良好な状態に維持する。
【００２８】
不正防止リング片１７は、引張による破断が可能となる程度に薄肉となった第１弱化部１９を介して、キャップ部材１１の周壁１５の下端縁に連結（図２、図３参照）されており、その外周面の一部には、この不正防止リング片１７に引っ張り力を作用させるための摘み片１８（図２、図３参照）が突設されている。連結リング片２１は、引張による破断が可能に薄肉となった第２弱化部２６を介して、不正防止リング片１７の下端縁に連結（図２、図３参照）されており、その内周面に、第３係止部９を構成する周溝（図２、図３参照）が設けられている。また、この連結リング片２１の一部には、ヒンジ突片２２立ち上げ形成（図４参照）されていて、このヒンジ突片２２の上端をキャップ部材１１の周壁１５の下端縁に肉薄なヒンジ部２３（図４参照）を介して一体に連結している。このヒンジ突片２２は、開閉機能部１０の仮想される中心軸点に対して、指掛け片１６の反対側に位置しており、またヒンジ突片２２が位置する個所では、不正防止リング片１７が周方向に断絶した構造となっている。
【００２９】
キャップ体１は、図１および図２に示す形態で、一体に射出成形され、容器体２５の口筒部２６に組付ける際には、組付き部２を打栓状に組付けてから、開閉機能部１０をヒンジ片２４で反転回動させて、組付き部２に開閉機能部１０を外装組付けする（図３参照）か、開閉機能部１０を外装組付けした組付け部２を、打栓状に組付ける（図３参照）。口筒部２６に組付いたキャップ体１は、第２係止部８により口筒部２４に強固に組付き固定される。また、組付き部２に開閉機能部１０を外装組付けした状態では、第１係止部７の作用により、キャップ部材１１は装着筒６の上端部に係合組付きした状態にあり、同様に第３係止部９の作用により、連結リング片２１は装着筒６の下端部に係合組付きした状態にある。この第３係止部９による連結リング片２１の装着筒６に対する係合組付きにより、組付き部２に対する開閉機能部１０の外装組付きが強固に維持される。
【００３０】
この状態（図３、図４参照）では、開閉機能部１０におけるキャップ部材１１と不正防止リング片１７と連結リング片２１の一体連結状態が確保されているので、キャップ部材１１は組付き部２の上端部に離脱不能に組付いた状態、すなわち開口４を閉鎖した状態を開放不能に維持する。この状態から、摘み片１８を引っ張って、第１弱化部１９および第２弱化部２０を破断して、不正防止リング片１７を除去すると、キャップ部材１１と連結リング片２１はヒンジ部２３だけを介してヒンジ結合された状態（図４参照）となるので、キャップ部材１１は、開放操作可能状態となり、通常のヒンジキャップとして機能することになる。
【００３１】
このように、キャップ部材１１を開放操作可能にした状態では、不正防止リング片１７が破断除去された状態となるので、この不正防止リング片１７の有無を一瞥して確認するだけで、既に開放されているが否かを、一目で判断することができる。
【００３２】
図示実施形態例の場合、小孔状の３つの開口４が配列して分散形成されているので、顆粒状内容物の振り出し容器用のキャップ体１として有効に機能することができるものとなっている。また、キャップ体１は、射出成形された状態（図１参照）では、指掛け片１６と摘み片１８が上下方向に重ならないように配置されており、これにより射出成形されたキャップ体１の射出成型金型装置からの離型が、行い易いようにしている。
【００３３】
以上、実施形態例に沿って本発明の構成とその作用効果について説明したが、本発明の実施の形態は上記実施形態例に限定されるものではない。例えば、開口４として丸孔状ではなく、上方に突出した円筒片状のものとすることが可能である。また、口筒部２４に対する組付き部２の組付けを、打栓状に達成するのではなく、螺脱回動防止構成を有する螺合結合構造としてもよい。さらには、キャップ部材１１をヒンジキャップ構造とするのではなく、ヒンジ突片２２を設けないことにより、離脱可能なキャップとすることも可能である。
【産業上の利用可能性】
【００３４】
本発明の合成樹脂製キャップ体は、ピルファープルーフ機能部分の有無により不正開放の有無を容易にかつ明確に判断でき、開口を開閉するキャップ部材が開閉操作の簡単なタイップのキャップであるので、開放後の使い易さを得ることができ、容器体の口筒部に組付けるキャップ体として広い分野での適用を可能とすることができる。
【符号の説明】
【００３５】
１  ；キャップ体
２  ；組付き部
３  ；頂板
４  ；開口
５  ；シール筒片
６  ；装着筒
７  ；第１係止部
８  ；第２係止部
９  ；第３係止部
１０；開閉機能部
１１；キャップ部材
１２；頂壁
１３；栓片
１４；突き当たり片
１５；周壁
１６；指掛け片
１７；不正防止リング片
１８；摘み片
１９；第１弱化部
２０；第２弱化部
２１；連結リング片
２２；ヒンジ突片
２３；ヒンジ部
２４；ヒンジ片
２５；容器体
２６；口筒部
【図１】
2015124010.tif 000003
【図２】
2015124010.tif 000004
【図３】
2015124010.tif 000005
【図４】
2015124010.tif 000006